(57)【要約】【課題】遊技の趣向性を向上させることが可能な遊技機を提供すること。【解決手段】本開示の遊技機１０では、左側部流下領域Ｒａの上部が、打ち分け可能に第１と第２の細分領域Ｓ１，Ｓ２に細分されていて、第２細分領域Ｓ２の内部には、実行中の当否判定の判定演出の強制停止の契機となる演出変更入球口３０Ａが備えられている。第１と第２の細分領域Ｓ１，Ｓ２の下方には、第１と第２の細分領域Ｓ１，Ｓ２をそれぞれ通過した遊技球を集めてから通過させる漏斗部５３を備え、漏斗部５３の出口からセンター始動口１４Ａまで連絡するルートを備える。第１と第２の細分領域Ｓ１，Ｓ２のどちらを通過した遊技球も漏斗部５３を通過した後は同じルートを通ってセンター始動口１４Ａに入賞する。【選択図】図２
2020137628.tif 000002
【特許請求の範囲】
【請求項１】
当否判定条件の成立に起因して行われる当否判定の判定結果の報知に先立って所定期間に亘る判定演出が実行され、遊技球が流下する遊技領域に設けられて遊技球の入球又は通過により実行中の前記判定演出を強制停止することが可能な演出停止入球口が備えられた遊技機において、
前記遊技領域の少なくとも上部が、左右方向で第１と第２の細分領域に細分されて、それらの何れに遊技球を流下させるかを打ち分け可能に構成され、
前記第１と第２の一方の細分領域を流下する遊技球のみが入球可能な位置に設けられた前記演出停止入球口と、
前記第１と第２の細分領域を流下した遊技球の全てが合流して通過する漏斗部と、が備えられている遊技機。
【請求項２】
前記漏斗部の出口より下方に設けられて、前記漏斗部を通過した遊技球が入球又は通過して遊技者に利益を付与する役物を有する利益付与領域が備えられている請求項１に記載の遊技機。
【請求項３】
前記第１及び第２の細分領域の下端部より下方でかつ前記漏斗部より上方の領域には、遊技球の流下方向を変更する障害物を有しない請求項１又は２に記載の遊技機。
【請求項４】
前記漏斗部の出口より上方には、前記演出停止入球口の他には前記遊技者に利益を付与する役物を有しない通過領域が備えられている請求項１乃至３のうち何れか１の請求項に記載の遊技機。
【請求項５】
遊技者の操作により、前記遊技領域の左側部流下領域に遊技球を流下させる左打ち遊技を選択するか、前記遊技領域の右側部流下領域に遊技球を流下させる右打ち遊技を選択するかを打ち分け可能であって、
前記左打遊技が前記右打遊技より有利な第１遊技状態と、前記右打遊技が前記左打遊技より有利な第２遊技状態とに切り替わり、
前記第１遊技状態では、前記左打遊技の方が前記当否判定条件が成立し易くなると共に前記第２遊技状態では、前記右打遊技の方が前記当否判定条件が成立し易くなり、
通常は、前記第１遊技状態に保持され、前記判定結果が当りになったことに起因して、前記第１遊技状態から前記第２遊技状態に切り替わり、
前記左側部流下領域のみが前記第１と第２の細分領域に細分化されている請求項１乃至４のうち何れか１の請求項に記載の遊技機。
【発明の詳細な説明】
【技術分野】
【０００１】
本開示は、実行中の当否判定の判定演出を遊技者により強制停止可能な遊技機に関する。
【背景技術】
【０００２】
従来、この種の遊技機として、遊技球が入球して実行中の当否判定の判定演出の強制停止の契機となる演出停止入球口を備えたものが知られている（例えば、特許文献１参照）。
【先行技術文献】
【特許文献】
【０００３】
【特許文献１】特開２０１６−１９３１０２号公報（［００１９］、［００７８］、図２）
【発明の概要】
【発明が解決しようとする課題】
【０００４】
この種の遊技機においては、新規な構成により遊技の趣向性を高めることが望まれている。
【課題を解決するための手段】
【０００５】
上記課題を解決するためになされた請求項１の発明は、当否判定条件の成立に起因して行われる当否判定の判定結果の報知に先立って所定期間に亘る判定演出が実行され、遊技球が流下する遊技領域に設けられて遊技球の入球又は通過により実行中の前記判定演出を強制停止することが可能な演出停止入球口が備えられた遊技機において、前記遊技領域の少なくとも上部が、左右方向で第１と第２の細分領域に細分されて、それらの何れに遊技球を流下させるかを打ち分け可能に構成され、前記第１と第２の一方の細分領域を流下する遊技球のみが入球可能な位置に設けられた前記演出停止入球口と、前記第１と第２の細分領域を流下した遊技球の全てが合流して通過する漏斗部と、が備えられている遊技機である。
【発明の効果】
【０００６】
本開示の遊技機では、従来にない新しい構成により実行中の当否判定の判定演出を強制停止することが可能となり、遊技の趣向性を高めることができる。
【図面の簡単な説明】
【０００７】
【図１】本実施形態に係る遊技機の正面図
【図２】遊技盤の正面図
【図３】左側部流下領域の上部の拡大図
【図４】左側部流下領域の下部の拡大図
【発明を実施するための形態】
【０００８】
本実施形態の遊技機１０は、図１に示されるように、パチンコ遊技機であって、遊技盤１１の前面にガイドレール１２で囲まれた略円形の遊技領域Ｒを備え、その遊技領域Ｒを、遊技機１０の前面に備えた前面窓１０Ｗを通して視認することができる。なお、以下の説明において、特記しない限り「右」及び「左」とは、遊技機１０を前方から見た場合の「右」及び「左」を指すものとする。
【０００９】
前面窓１０Ｗより下方には、上皿２６と下皿２７が上下２段にして設けられ、下皿２７の右側には操作ハンドル２８が設けられている。操作ハンドル２８を回動操作すると、上皿２６に収容された遊技球が遊技領域Ｒに向けて弾き出される。また、操作ハンドル２８の回動操作量に応じて、遊技球の発射強度を任意に調節することができる。
【００１０】
図２に示されるように、遊技盤１１のうち遊技領域Ｒの中央には、異形の表示窓が貫通形成され、その表示窓に表示装飾枠２０が前側から嵌め込まれている。そして、表示装飾枠２０を通して、遊技盤１１の裏面側のディスプレイ１３が前方に臨んでいる。また、表示装飾枠２０は遊技盤１１の前面から突出していて、ディスプレイ１３の前方を遊技球が流下することを禁止している。そして、遊技領域Ｒが表示装飾枠２０により、左右方向で左側部流下領域Ｒａと右側部流下領域Ｒｂとに分けられ、上下方向で上部連絡通路２４と下部流下領域Ｒｃとに分けられている。
【００１１】
左側流下領域Ｒａの上部には、発射装置（図示せず）から発射された遊技球を、遊技領域Ｒに進入させるための球打出口１６が設けられている。また、表示装飾枠２０の上端面のうち、中央寄り位置から右側部分は、ガイドレール１２に沿って円弧状に延びた右連絡ガイド面２１となっており、上部連絡通路２４は、それらガイドレール１２と右連絡ガイド面２１との間に挟まれて円弧状をなし、左側部流下領域Ｒａの上部と右側部流下領域Ｒｂの上部とを連絡している。
【００１２】
また、左側流下領域Ｒａの上部のうち、表示装飾枠２０の上端面の左側部分は、右連絡ガイド面２１の左端部から下方に折り曲げられて形成された垂下壁２３を形成し、上下方向に延びている。さらに、垂下壁２３の下端からはガイドレール１２に沿って緩やかに延びた左連絡ガイド面２４が形成されている。
【００１３】
本実施形態の遊技機１０では、比較的弱い発射強度で発射された遊技球は、球打出口１６からそのまま左側部流下領域Ｒａに進入するか、或いは、垂下壁２３に衝突して、上部連絡通路２４に進入することなく左側部流下領域Ｒａを流下する。一方、比較的強い発射強度で発射された遊技球は、球打出口１６からガイドレール１２に沿って上部連絡通路２４を通過し、右側部流下領域Ｒｂを流下する。以下、遊技球が左側部流下領域Ｒａを流下するように発射強度を調整して行う遊技のことを「左打遊技」といい、遊技球が右側部流下領域Ｒｂを流下するように発射強度を調整して行う遊技のことを「右打遊技」という。
【００１４】
図２に示されるように、下部流下領域Ｒｃには、表示装飾枠２０の下端の中央部の真下にセンター入賞部１４が設けられている。センター入賞部１４は、ポケット構造をなし、その上面には、常時開放のセンター始動口１４Ａが形成され、そのセンター始動口１４Ａに遊技球が１球ずつ入球可能になっている。そして、センター始動口１４Ａに入球する度に、所定数の賞球が払い出されると共に、特別図柄当否判定が行われる。即ち、本実施形態では、センター始動口１４Ａに遊技球が入球することで、特別図柄当否判定の判定権利が発生する。特別図柄当否判定の判定結果は、判定権利の使用に伴って、ディスプレイ１３において特別図柄１３Ａ，１３Ｂ，１３Ｃの組み合わせで報知される。
【００１５】
ここで、判定結果の報知に先立って、特別図柄当否判定に関連した判定演出が所定期間行われる。そして、判定演出の終了後、判定結果が当りの場合には、当り遊技状態となって当り遊技が実行される。判定結果が外れの場合には、当り遊技状態ではない通常の遊技状態が続く。
【００１６】
上述したように、ディスプレイ１３には、特別図柄当否判定に関連した判定演出が表示される。具体的には、ディスプレイ１３に表示された各特別図柄１３Ａ〜１３Ｃは、例えば、数字や文字等を表記した複数種類のもので構成されており、通常は、各特別図柄１３Ａ〜１３Ｃごと、所定の種類のものが停止表示されている。そして、センター始動口１４Ａに遊技球が入球すると、これら３つの特別図柄１３Ａ〜１３Ｃが、変動表示（例えば、上下方向にスクロール表示）され、所定時間経過後に、例えば、左、右、中の順に停止表示される。そして、停止した特別図柄１３Ａ〜１３Ｃの組合せにより、特別図柄当否判定の判定結果を報知するようになっている。
【００１７】
ところで、ディスプレイ１３において上述した判定演出の実行中又は当り遊技の最中にセンター始動口１４Ａに遊技球が入球した場合、その入球に起因した特別図柄当否判定の判定権利は、最大で４回分まで保留記憶される。そして、判定演出が終了して特別図柄１３Ａ，１３Ｂ，１３Ｃが停止表示されるか又は当り遊技が終了すると、その保留記憶に基づいて再び特別図柄当否判定の判定が行われる。なお、特別図柄当否判定の判定権利の保留記憶数は、ディスプレイ１３内の特別図柄保留表示部（図示せず）にて表示される。
【００１８】
右側部流下領域Ｒｂの下方には、大入賞口１５が設けられている。大入賞口１５は、遊技盤１１の前面（遊技領域Ｒ）に向かって開放しており、大入賞口扉１５Ｔによって開閉可能となっていて、通常の遊技状態では閉塞されている。そして、当り遊技状態となって当り遊技が行われると、可動扉１５Ｔが所定期間に亘って前側に倒されて大入賞口１５が開放し、可動扉１５Ｔを案内にして、大入賞口１５に多くの遊技球が入球可能となる。
【００１９】
なお、図示はしないが、右側部流下領域Ｒｂには、遊技球の流下方向を変化させる障害釘等が配置されている。
【００２０】
本実施形態では、左側部流下領域Ｒａを流下した遊技球のうちの約５〜６％（「左打遊技」を１分間（１００球）続けた場合に５〜６球）が、センター始動口１４Ａに入球するように構成されている。また、右側部流下領域Ｒｂを流下した遊技球は、後述するが、殆どセンター始動口１４Ａに入球しないように流下方向が規制されている。一方、大入賞口１５については、右側部流下領域Ｒｂを流下した遊技球は入球するように配置され、左側部流下領域Ｒａを流下した遊技球は入球しないように配置されている。
【００２１】
即ち、本実施形態の遊技機１０では、遊技者は、通常の遊技状態においては、センター始動口１４Ａを狙って左打遊技を行い、当り遊技状態においては、大入賞口１５を狙って右打遊技を行うこととなる。
【００２２】
図２に示されるように、左側部流下領域Ｒａの中央位置には、演出停止部３０が設けられている。演出停止部３０は、センター入賞部１４と同様のポケット構造をなし、その上面に常時開放の演出停止始動口３０Ａを有し、遊技球が１球ずつ入球可能となっている。  
【００２３】
この演出停止始動口３０Ａに遊技球が入球すると、１個の遊技球が賞球として払い出される入賞口となっている。本実施形態では、演出停止始動口３０Ａへの入球に基づいて払い出される賞球の数は、センター始動口１４Ａ及び大入賞口１５に比べて少ない賞球数にしている。
【００２４】
そして、演出停止始動口３０Ａに遊技球が入球したときに、特別図柄当否判定の判定演出の実行中であった場合には、判定演出が途中で強制的に停止される。即ち、本実施形態では、演出停止始動口３０Ａに遊技球を入球させることで、特別図柄当否判定の判定演出を強制停止（以下、「スキップ」という）することが可能となっている。上述したように、センター始動口１４Ａに遊技球が入球すると、所定期間判定演出が行われ、その判定演出が終わるまで、保留記憶されている特別図柄当否判定の判定が行われないが、演出停止始動口３０Ａに遊技球が入球すると、判定演出をスキップすることができる。これにより、短時間に多くの特別図柄当否判定を行うことができ、遊技の効率を向上することができる。
【００２５】
なお、下部流下領域Ｒｃの下端には図示しないアウト口が配置されている。また、右側部流下領域Ｒｂ及び下部流下領域Ｒｃには、図示しない複数の一般入賞口が備えられている。センター始動口１４Ａ、大入賞口１５、一般入賞口及び演出停止始動口３０Ａの何れにも入球しなかった遊技球は、アウト口に全て取り込まれる。
【００２６】
次に、左側部流下領域Ｒａの流下経路について説明する。
【００２７】
図３に示されるように、本実施形態の遊技機１０では、左側部流下領域Ｒａの上部が、第１細分領域Ｓ１と第２細分領域Ｓ２とに区分けされている。第１細分領域Ｓ１及び第２細分領域Ｓ２の上流側は、それぞれ第１流下経路４２と第２流下経路４３を形成していて、球打出口１６から左側部流下領域Ｒａに進入した遊技球は、第１流下経路４２を通過するか、或いは第２流下経路４３を通過するかのどちらかとなる。なお、第１及び第２流下経路４２、４３の上流部分はそれぞれ遊技球が１つだけ通過可能な幅をなしている。
【００２８】
詳細には、第１細分領域Ｓ１は、第２細分領域Ｓ２よりも球打出口１６に近い側に配置されていて、左側部流下領域Ｒａの上部から中央位置にかけて延びた分岐壁４０によりに第１細分領域Ｓ１と第２細分領域Ｓ２とに区分けされている。そして、分岐壁４０の下端部で第１又は第２の細分領域Ｓ１，Ｓ２を流下した遊技球は合流可能となっている。そして、分岐壁４０の上端部には、ガイドレール１２に向かって突出した振分突部４１が備えられていて、この振分突部４１が第１流下経路４２と第２流下経路４３の分岐部分となっている。振分突部４１は、第１ガイド壁４１Ａと第２ガイド壁４１Ｂとを有する三角柱形状をなしている。
【００２９】
なお、第１流下経路４２の入り口４２Ｅは振分突部４１よりも下方、第２流下経路４３の入り口４３Ｆは振分突部４１よりも上方に配置されている。第１及び第２流下経路４２、４３の入り口４２Ｅ，４３Ｆは、それぞれ遊技球２つ以上の間隔を有している。
【００３０】
図３に示されるように、演出停止部３０は、第２細分領域Ｓ２内の、第２流下経路４３の下流部分に配置されている。即ち、第２流下経路４３は、遊技球を、演出停止始動口３０Ａに入球するように案内する。そして、演出停止始動口３０Ａに入球しなかった場合は、第２細分領域Ｓ２の下端の排出口４４Ｋから排出させて下部流下領域Ｒｃに向かわせる。なお、排出口４４Ｋは、遊技球１つだけが通過可能な幅となっている。これに対して、第１流下経路４２は、遊技球を演出停止始動口３０Ａに入球させないように案内して、第１細分領域Ｓ１の下端の排出口４４Ｍから排出させて下部流下領域Ｒｃに向かわせる。
【００３１】
本実施形態の遊技機１０では、上述したように、操作ハンドル２８の回動操作量を調整して「左打遊技」と「右打遊技」とを行えるが、「左打遊技」を行う際に、操作ハンドル２８の回動操作量をさらに調整することによって、左側部流下領域Ｒａのうち第１細分領域Ｓ１又は第２細分領域Ｓ２のどちらかに遊技球が流下するように打ち分けることができる。
【００３２】
具体的には、左側部流下領域Ｒａに進入する強度で発射された遊技球のうち、比較的弱い発射強度で発射された遊技球は、球打出口１６からそのまま第１案内経路４２に進入するルートＬ１、或いは、振分突部４１の第１ガイド壁４１Ａに衝突して第２案内経路４３に進入することなく第１案内経路４２を流下するルートＬ２を通って、第１細分領域Ｓ１を流下することができる。一方、左側部流下領域Ｒａに進入する強度で発射された遊技球のうち、比較的強い発射強度で発射された遊技球は、球打出口１６からそのまま振分突部４１の第２ガイド壁４１Ｂ上を転動して第２案内経路４３に進入するルートＬ３、或いは、垂下壁２３に衝突して第２案内経路４３を流下するルートＬ４を通って第２細分領域Ｓ２を流下することができる。このようにして、遊技者は、演出停止始動口３０Ａに入球させたい場合と、入球させたくない場合とで、遊技球を打ち分けることができる。
【００３３】
また、左側部流下領域Ｒａ及び下部流下領域Ｒｃには、複数の障害釘Ｎが分散配置されている。図２に示されるように、複数の障害釘Ｎのうち一部の障害釘Ｎは、一列に並んで釘道を構成している。図４に示されるように、左側部流下領域Ｒａにおいて、第１細分領域Ｓ１の真下には、ガイドレール１２と隣接し、ガイドレール１２側から表示装飾枠２０側に向かって下るように傾斜した風車案内釘道５０Ａが備えられ、その風車案内釘道５０Ａと左右方向で対向する位置に、表示装飾枠２０と隣接した風車案内釘道５０Ｂが備えられている。
【００３４】
ここで、風車案内釘道５０Ａと風車案内釘道５０Ｂとは、下流側に向かうに従って互いに徐々に接近して漏斗部５３を構成し、その下部は遊技球が１個ずつ通過可能な上下方向に延びた送球路５３Ｎを形成している。第１細分領域Ｓ１の排出口４４Ｍ及び第２細分領域Ｓ２の排出口４４Ｋから排出された遊技球は漏斗部５３の上部で集められ、送球路５３Ｎに誘導される。
【００３５】
なお、風車案内釘道５０Ａには、それらを構成する釘Ｎ同士が遊技球１個以上、１．５個未満の大きさの間隔を開けて離れた転落部５１Ｐ，５１Ｑが備えられ、第１細分領域Ｓ１の排出口４４Ｍ及び第２細分領域Ｓ２の排出口４４Ｋから排出された遊技球のうち一部の遊技球は、転落部５１Ｐ，５１Ｑを通って下方に流下し、上述したアウト口に取り込まれる。
【００３６】
送球路５３Ｎの下端先方には風車１８が設けられ、その風車１８の回転中心の右下となる位置からセンター入賞部３１の左上近傍位置に亘って、図２に示されるように、下部釘道５２が直線状に延びている。そして、下部釘道５２上を転動する遊技球はセンター入賞部３１に誘導される。
【００３７】
なお、下部釘道５２には、それらを構成する釘Ｎ同士が遊技球１個以上、１．５個未満の大きさの間隔を開けて離れた転落部５１Ｒ、５１Ｔが備えられ、風車１８から下部釘道５２に案内された遊技球の一部の遊技球は、転落部５１Ｒ、５１Ｔを通って下方に流下し、上述したアウト口に取り込まれる。
【００３８】
図４に示すように、風車１８は、遊技板１１の前面から突出したシャフト１８Ｓに回転可能に支持されると共に、回転中心から径方向に張り出して遊技球を受ける複数の回動片１８Ａを備えている。そして、送球路５３Ｎを流下してきた遊技球が、風車１８のうち回動中心より右側に位置する回動片に当接して風車１８が右回りに回転し、その遊技球がほとんど下部釘道５２上へと案内される。
【００３９】
これに対して、センター入賞部３１の斜め右上近傍位置には、図２に示されるように、釘道５４が並べられている。釘道５４により、右側部流下領域Ｒｂを流下した遊技球はセンター入賞部３１に入賞しないように構成されている。
【００４０】
本実施形態の遊技機１０の構成に関する説明は以上である。次に、この遊技機１０の作用効果について説明する。上述したように、通常の遊技状態では、遊技者は左打遊技を行い、センター始動口１４Ａに多くの遊技球を入球させようとする。ここで、センター始動口１４Ａに１球入球する度に、特別図柄当否判定の判定演出が行われるが、遊技者は演出停止始動口３０Ａに遊技球を入球させることで判定演出をスキップすることができ、遊技の効率を向上することができる。
【００４１】
しかも、本実施形態の遊技機１０では、図２に示されるように、演出停止始動口３０Ａを左側部流下領域Ｒａに配置したので、センター始動口１４Ａを狙う場合と同様、左打遊技を行って演出停止始動口３０Ａを狙うことができ、遊技者は、演出停止始動口３０Ａ又はセンター始動口１４Ａのどちらを狙う場合でも左打遊技を行えばよい。
【００４２】
詳細には、遊技者が左打遊技を行う際に、本実施形態の遊技機１０では、左側部流下領域Ｒａを２つの領域、すなわち第１細分領域Ｓ１と第２細分領域Ｓ２とに区分けし、第２細分領域Ｓ２を狙った場合にのみ演出停止始動口３０Ａに遊技球が入球可能な構成となっているので、演出停止始動口３０Ａを狙う場合と狙わない場合とを明確に打ち分けることができる。
【００４３】
本実施形態では、図３に示されるように、演出停止始動口３０Ａを狙ったが入球しないで第２細分領域Ｓ２から排出された遊技球と、最初から演出停止始動口３０Ａを狙わないで第１細分領域Ｓ１から排出された遊技球の両方が、いったん漏斗部５３に集められる。そして、漏斗部５３で集められた遊技球は、漏斗部５３の真下に配置される風車１８によって振り分けられてセンター始動口１４Ａに案内される構成となっている。これにより、第１細分領域Ｓ１から排出された遊技球も第２細分領域Ｓ２から排出された遊技球も必ず漏斗部５３の送球路５３Ｎを通過してからセンター始動口１４Ａに入賞することとなるので、演出停止始動口３０Ａを狙う場合と狙わない場合とでセンター始動口１４Ａへの入賞率に大きな差が出ないようにすることが可能となっている。
【００４４】
［他の実施形態］
本発明は、上記実施形態に限定されるものではなく、例えば、以下に説明するような実施形態も本発明の技術的範囲に含まれ、さらに、下記以外にも要旨を逸脱しない範囲内で種々変更して実施することができる。
【００４５】
（１）上記実施形態では、操作ハンドル２８の回動操作量を調整することによって遊技球の発射強度が変更される構成であったが、操作ハンドル２８に備えられたスイッチを押下することによって、遊技球の発射強度が変更される構成であってもよいし、スイッチを押下することによって操作ハンドル２８の回動範囲が変更される構成であってもよい。
【００４６】
（２）上記実施形態では、演出停止部３０は、その上面が常時開放のポケット構造をなし、遊技球が１球ずつ入球可能な構造であったが、遊技球が潜って通過可能な門形構造をなして、遊技球が１つずつ内側を鉛直下方に向かって通過するゲート構造であってもよい。
【００４７】
（３）上記実施形態では、演出停止始動口３０Ａに遊技球が入球したときに、特別図柄当否判定の判定演出を強制停止する構成であったが、演出停止始動口３０Ａに遊技球が入球したとき演出を停止するか否かの当否判定が行われ、その当否判定が当りの場合だけ実行中の特別図柄当否判定の判定演出を強制停止する構成であってもよい。
【００４８】
（５）左側部流下領域Ｒａを除く領域（即ち、漏斗部５３より下方、及び、第１及び第２の細分領域Ｓ１，Ｓ２に区分けされない領域）には、センター始動口１４Ａ、大入賞口１５及び一般入賞口以外にも、遊技球が入球又は通過して遊技者に利益を付与する役物を備えてもよい。
【００４９】
（６）上記実施形態では、漏斗部５３の下方にセンター始動口１４Ａを備える構成であったが、遊技球が通過すると普通図柄当否判定が行われる始動ゲートを備える構成であってもよい。この場合、演出停止始動口３０Ａに遊技球が入球することにより普通図柄当否判定の判定演出を停止する構成とすればよい。
【符号の説明】
【００５０】
１０    遊技機
１４Ａ  センター始動口
３０Ａ  演出停止入球口
Ｒ      遊技領域
Ｒａ    左側部流下領域
Ｒｂ    右側部流下領域
Ｓ１    第１細分領域
Ｓ２    第２細分領域
【図１】
2020137628.tif 000003
【図２】
2020137628.tif 000004
【図３】
2020137628.tif 000005
【図４】
2020137628.tif 000006